(57)【要約】【課題】電機子コイルのないモーターの提供。【解決手段】本考案の電機子コイルのないモーターの構造は主に、回転子、若干の磁石、第一固定子、若干の電磁鉄、第二固定子、外殻、及び電磁回路を備え、前記回転子と第一固定子、第二固定子は何れもプラスチック射出成形またはその他の絶縁材質成形により作製し、前記の若干の磁石は回転子射出成形時、それを回転子内に埋め込み、若干の電磁鉄を第一固定子と第二固定子の内面に固定して磁石と対応させ、前記電磁回路は電磁スイッチを備え、電源は電磁スイッチのＰＮＰ接点の制御を経て予め設計した接点に出力し、並びに、電磁鉄上に出力して磁極を生じさせ、且つ磁場を活性化して相互反発させ、電磁スイッチを切ると、磁場には相互吸引作用が生じ、前記回転子は固定子上の電磁鉄が生じる磁性と回転子上の磁石の相互に引きつけたり反発する作用によって回転し、回転子の伝動軸心を通して動力エネルギーを出力して、電機子コイルのないモーターの使用効果を達成する。【選択図】図１
2011234600.tif 000002
【特許請求の範囲】
【請求項１】
マグネットワイヤを巻きつけた電機子コアを基本構成要素としない電機子コイルのないモーターにおいて、回転子、若干の磁石、第一固定子、若干の電磁鉄、第二固定子、外殻、及び電磁回路を備え、前記回転子と第一固定子、第二固定子は何れもプラスチック射出成形またはその他の絶縁材質成形により作製し、前記の若干の磁石は回転子内に埋め込む状態で均等分布させ、前記回転子内には伝動軸心を備える故、回転子は伝動軸心を外殻に取り付けることにより若干の電磁鉄が第一固定子と第二固定子の内面に固定され、前記電磁回路は基本的に電磁スイッチを備え、電源は電磁スイッチのＰＮＰ接点の制御を経て電磁鉄上に出力されて磁極を生じ、並びに、磁場を活性化して相互に引き付けるか反発させ、電磁スイッチを切ると、磁場には相互に引き付け合ったり反発する力が働き、前記回転子は磁場の相互に引き付けたりして反発する作用によって回転し、その動力エネルギーは回転子の伝動軸心を通して出力されて電機子コイルのないモーターの使用効果を達成することを特徴とする電機子コイルのないモーター。
【請求項２】
前記の若干の磁石は回転子内に埋め込む状態で均等分布させ、前記若干の電磁鉄は第一固定子と第二固定子は内側面に固定し、且つ前記磁石と相互に対応し、回転子と第二固定子は順序に基づいて複数個を増加し、マルチ連結を形成することによりモーターのねじり力を増強し、磁石を設けた複数の回転子と電磁鉄を設けた複数の固定子の多重組み合わせにより基本構成要素を構成することを特徴とする請求項１記載の電機子コイルのないモーター。
【請求項３】
前記電磁回路は基本的に電磁スイッチ、コンデンサ、抵抗、及びコイルを備え、前記電磁スイッチにはＰＮＰ接点を設け、それは、コイルと電磁鉄を相互に連結することにより、電気エネルギーはＰＮＰ接点の制御を経て電磁鉄に出力されて磁極を生じさせることを特徴とする請求項１記載の電機子コイルのないモーター。
【請求項４】
前記電磁スイッチは白金接点を採用して磁石及び電磁鉄の相互吸引作用や相互反発作用を生じさせることを特徴とする請求項１記載の電機子コイルのないモーター。
【発明の詳細な説明】
【技術分野】
【０００１】
本発明は電機子コイルのないモーターに係り、特に磁石の正負極と電磁スイッチのセンサを利用してモーターを運転させ、電機子コアに巻きつける公知技術における基本構成要素のコイル使用を不要とし、しかも複数の連結によってねじり力を増強する電機子コイルのないモーターに関する。
【背景技術】
【０００２】
公知のモーターはマグネットワイヤを電機子コアに巻きつけたものを基本構成要素とし、磁石とカーボンブラシデバイスを使って回転とねじり力を出力させる。この種の公知のモーターの最大欠点は電気の浪費であり、特に起動の瞬間に必要な電気エネルギーが最も激しい。更に、公知のモーターはマグネットワイヤを電機子コアに巻きつけたものを基本構成要素とし、しかも鋳鉄材料を外殻としているため、体積が大きいだけでなく非常に重くメンテナンスや修理も非常に面倒で、且つコスト高、加えてその磁性変換時には正負極を交差変換する故、デザインは重厚な円柱形タイプから脱することはできず、その他、現在はアイドルスピードモーターを作ることはできないため、多くのモーターを動力とする物品の設計を制限することになる。
【発明の概要】
【発明が解決しようとする課題】
【０００３】
前述した通り、本発明の電機子コイルのないモーターは、公知技術にある電気の浪費、体積の大きさや重さ、メンテナンスや修理の面倒さ、コスト高などの問題点を解決する。
【課題を解決するための手段】
【０００４】
本発明の目的は前記公知のモーターにおいてマグネットワイヤを巻きつけた電機子コアを基本構成要素とする等の欠点に鑑み、電機子コイルのないモーターを提供することにある。その構造は主に、回転子、若干の磁石、第一固定子、第二固定子、若干の電磁鉄或いはセンサ鉄、モーター外殻、及び電磁回路を備え、前記回転子と第一固定子、第二固定子は何れもプラスチック等の絶縁材質により作製する。若干の磁石は回転子射出成形時、回転子内に埋め込む状態で均等分布させ、前記電磁鉄は第一と第二の両固定子の内側面に固定し磁石と相互に対応させ、並びに、伝動軸心を外殻に貫設固定する。また、電磁回路は電磁スイッチを設け、電源は電磁スイッチのＰＮＰ接点の制御を経て予め設計した接点へ出力され、更に電磁鉄上に出力されて磁極を生じ、且つ活性化する磁場に相互反発の力が働き、電磁スイッチを切ると、磁場には相互に引き付け合ったりして反発する力が働く。前記回転子は磁石により生じる磁性と回転子内の電磁鉄が相互に反発したり引き付け合ったりする力が働くために回転し、並びに、回転子の伝動軸心が動力エネルギーを出力して電機子コイルのないモーターの使用機能を達成する。
【発明の効果】
【０００５】
本発明の本モーターは特に、順序に基づいて複数の回転子と複数の第二固定子を増加してこれを連結組み合わせてねじり力を強化するため工業用モーターに応用可能である。また、簡単な構造、軽量、マグネットワイヤを巻きつけた電機子コアの使用が不要で、重厚な鋳鉄を外殻とする必要もなく、そのモーターは軽く薄いデザインに変更可能であり、その利用範囲は幅広く全ての動力を使用する物品や機具に応用できるため、前代未聞である本構造は電気エネルギーを節約し、簡単な取り付けやメンテナンス等の予期する使用効果を発揮する。    
【図面の簡単な説明】
【０００６】
【図１】本発明の分解透視図である。
【図２】本発明の外観図である。
【図３】本発明の断面図である。
【図４】本発明の電磁回路図である。
【図５】本発明の連結外観図である。
【発明を実施するための形態】
【０００７】
本発明の電機子コイルのないモーターの実施方法とその効果について図面を組み合わせて示した実施例に基づき更に次の如く詳細説明を行う。
【実施例】
【０００８】
図１及び図２に示す通り、本発明の電機子コイルのないモーターは、回転子１、若干の磁石２、第一固定子３、第二固定子４、若干の電磁鉄５或いはセンサ鉄、モーター外殻６、及び電磁鉄５と連結する電磁回路７を備え、前記回転子１と第一固定子３、第二固定子４は何れもプラスチック射出成形あるいはその他の絶縁材成形により作製する。
【０００９】
図３に示す通り、前記回転子１には伝動軸心１１を備え、若干の磁石２は回転子１を成形する場合、回転子１内に埋め込む状態で均等分布させ、前記回転子１の伝動軸心１１は軸受１２によってモーター外殻６上に取り付け、各第一固定子３と第二固定子４はモーター外殻６或いはその内の基本台上にそれぞれ固定し、若干の電磁鉄５は第一固定子３と第二固定子４の内側面に固定し磁石２と相互に対応させる。
【００１０】
前記電磁回路７は基本的には電磁スイッチ７１、コンデンサ７２、抵抗７３、及び電磁鉄接点７４により構成され、前記電磁スイッチ７１にはＰＮＰ接点７５を設ける。電源を入力した場合、電流は電磁スイッチのＰＮＰ接点７５の制御を経てそれぞれの予め設計した電磁鉄接点７４へ出力され、更に電磁鉄５上に出力されて磁極を生じ、且つ活性化する磁場に相互に引き付け合ったりして反発する力が働く。電磁スイッチ７１を切った場合、磁場には相互に引き付け合ったりして反発する力が働く。
【００１１】
前記回転子１は電磁鉄５により生じる磁性と回転子１内の磁石２が相互に反発したり引き付け合ったりする力が働くために回転し、並びに、回転子１の伝動軸心１１が動力エネルギーを出力して本発明の電機子コイルのないモーターの使用機能を達成する。
【００１２】
前記電磁スイッチのＰＮＰ接点７５は実施例において白金接点により磁石及び電磁鉄に相互に引き付け合ったりして反発する力を働かせることも可能である。
【００１３】
図５に示す通り、本発明の電機子コイルのないモーターは順序に基づいて回転子１と第二固定子４を増加してこれを連結組み合わせたものであり、回転子１と第二固定子４は一つに一つを組み合わせる方法で連結する。実施例に示す通り、この状況において各第二固定子４上の電磁鉄５は第二固定子４の一面に固定するだけで両面に固定する必要はないため、この連結によってモーターのねじり力を増強し、高パワーを必要とする工業用モーターに適用する。
【００１４】
以上の説明で理解できる通り、本発明の電機子コイルのないモーターはマグネットワイヤを電機子コアに巻きつける必要がなく、しかも重厚な鋳鉄を外殻とする必要がない等の長所を備え、デザインにおいてはモーターを軽く薄くすることが可能で、動力を必要とする物品や機械に広く応用することができる。
【００１５】
本発明の電機子コイルのないモーターの使用範囲は広範であり、自転車への応用実施を例に挙げると、本発明を自転車のタイヤ上に簡単に取り付けて電動自転車とすることが可能である。取り付け使用においては、複雑な取り付けや連結伝動などの問題はなく、乗り始め時も大きな電力負荷を必要としないため、本発明の電機子コイルのないモーターはゆっくりしたスピードで何れの物品をも動かしたりして伝動させることが可能である長所を有する。
【００１６】
よって、本発明の電機子コイルのないモーターは体積が軽く薄く、駆動には節電可能で、しかも複数の電機子コイルのないモーターを連結し、マルチモーターを形成してねじり力を増強するため、パソコンのファン、クーラーの放熱ファン、自動車の貯水タンク、及び自動車のクーラー用放熱ファン、送風機等の小型電子製品等の一般モーターに応用可能である。しかも節電特徴により、電動自転車、電動オートバイ、電動自動車等への応用にも適し、更に複数連結でねじり力を増強するため、工業用モーター、電子機械用モーターに適用し、現有するモーターの伝統的デザインを変えることができ、使用においては伝統的なモーターの電力浪費と損耗等の関連問題改善を可能にする。
【００１７】
前述の通り、本発明の伝統を破り、マグネットワイヤを巻きつけた電機子コアを必要としない基本構成要素による電機子コイルのないモーターは、簡単な構造、幅広い使用範囲、低コスト及び高効果、簡単な取り付け及びメンテナンスを可能とし、産業上の利用価値を備え、特許の出願要件に符合する発明である。
【符号の説明】
【００１８】
１  回転子
２  磁石
３  第一固定子
４  第二固定子
５  電磁鉄
６  モーター外殻
７  電磁回路
１１  伝動軸心
１２  軸受
７１  電磁スイッチ
７２  コンデンサ
７３  抵抗
７４  電磁鉄接点
７５  ＰＮＰ接点
【図１】
2011234600.tif 000003
【図２】
2011234600.tif 000004
【図３】
2011234600.tif 000005
【図４】
2011234600.tif 000006
【図５】
2011234600.tif 000007